(57)【要約】【課題】表示装置のピクセルアスペクト比と異なるピクセルアスペクト比に合わせた画像を本来のアスペクト比で表示可能にする。【解決手段】サーバ３０は、オリジナル画像Ｘを車載装置１０に送信し、携帯装置２０は、車載装置１０に表示されたオリジナル画像Ｘを撮影した撮影画像Ｘ２をサーバ３０に送信し、サーバ３０はオリジナル画像Ｘと撮影画像Ｘ２を画像比較し、比較結果に基づき前記撮影画像Ｘ２のアスペクト比を前記オリジナル画像Ｘのアスペクト比に補正する補正係数ＤＫを算出して車載装置１０に送信する。そして、車載装置１０は、画像データに対応する画像を、補正係数ＤＫに基づいてアスペクト比を補正して表示する。【選択図】図３
2020088430.tif 000002
【特許請求の範囲】
【請求項１】
画像データに基づいて画像を表示し、前記画像データを本来のアスペクト比で表示可能な基準ピクセルアスペクト比と異なるピクセルアスペクト比を有する表示装置と、前記表示装置に表示された画像を撮影可能な撮影装置と、前記表示装置と通信可能なサーバとを備える画像表示システムにおいて、
前記サーバは、ピクセルアスペクト比に応じた幅と高さで表示されるオリジナル画像を記憶する記憶部と、前記記憶部に記憶された前記オリジナル画像を前記表示装置に送信する通信部とを備え、
前記撮影装置は、前記サーバ又は前記表示装置と通信可能であり、前記表示装置に表示された前記オリジナル画像に対応する画像を撮影し、撮影画像を前記サーバ又は前記表示装置に送信し、
前記サーバ又は前記表示装置は、
前記オリジナル画像と前記撮影画像とを画像比較し、比較結果に基づき前記撮影画像のアスペクト比を前記オリジナル画像のアスペクト比に補正する補正係数を算出する補正係数算出部を有し、
前記表示装置は、前記画像データに対応する画像を、前記補正係数に基づいてアスペクト比を補正した画像で表示することを特徴とする画像表示システム。
【請求項２】
前記表示装置は、前記画像データに対応する画像を、前記補正係数に基づいてアスペクト比を補正して表示する表示制御部を有することを特徴とする請求項１に記載の画像表示システム。
【請求項３】
前記オリジナル画像は、ピクセルアスペクト比に応じて幅と高さの比率が変化する形状を有する特定画像を含み、
前記補正係数算出部は、前記オリジナル画像と前記撮影画像とで前記特定画像の幅及び高さの少なくともいずれかを比較した比較結果に基づき、前記補正係数を算出することを特徴とする請求項１又は２に記載の画像表示システム。
【請求項４】
前記オリジナル画像は、前記撮影画像の送信先を示す画像と、前記画像の切り出し・傾きを検出するための複数のファインダパターンとを含む二次元コードであり、
前記ファインダパターンを前記特定画像として利用していることを特徴とする請求項３に記載の画像表示システム。
【請求項５】
画像データに基づいて画像を表示し、前記画像データを本来のアスペクト比で表示可能な基準ピクセルアスペクト比と異なるピクセルアスペクト比を有する表示装置と通信可能なサーバにおいて、
ピクセルアスペクト比に応じた幅と高さで表示されるオリジナル画像を記憶する記憶部と、
前記オリジナル画像を前記表示装置に送信し、前記表示装置に表示された前記オリジナル画像に対応する画像を撮影した撮影装置から送信された撮影画像を受信する通信部と、
前記オリジナル画像と前記撮影画像とを画像比較し、比較結果に基づき前記撮影画像のアスペクト比を前記オリジナル画像のアスペクト比に補正する補正係数を算出する補正係数算出部とを有し、
前記通信部により、前記補正係数を前記表示装置に送信し、又は、前記画像データに対応する画像を、前記補正係数に基づいてアスペクト比を補正して前記表示装置に送信することを特徴とするサーバ。
【請求項６】
画像データに基づいて画像を表示し、前記画像データを本来のアスペクト比で表示可能な基準ピクセルアスペクト比と異なるピクセルアスペクト比を有する表示装置において、
当該表示装置と通信可能なサーバから送信された、ピクセルアスペクト比に応じた幅と高さで表示されるオリジナル画像を受信すると共に、前記表示装置に表示された前記オリジナル画像に対応する画像を撮影した撮影装置から送信された撮影画像を受信する通信部と、
前記オリジナル画像と前記撮影画像とを画像比較し、比較結果に基づき前記撮影画像のアスペクト比を前記オリジナル画像のアスペクト比に補正する補正係数を算出する補正係数算出部と、
前記画像データに対応する画像を、前記補正係数に基づいてアスペクト比を補正して表示する表示制御部と
を有することを特徴とする表示装置。
【請求項７】
画像データに基づいて画像を表示し、前記画像データを本来のアスペクト比で表示可能な基準ピクセルアスペクト比と異なるピクセルアスペクト比を有する表示装置と通信可能なサーバの制御方法において、
通信部により、ピクセルアスペクト比に応じた幅と高さで表示されるオリジナル画像を前記表示装置に送信するステップと、
前記通信部により、前記表示装置に表示された前記オリジナル画像に対応する画像を撮影した撮影装置から送信された撮影画像を受信するステップと、
補正係数算出部により、前記オリジナル画像と前記撮影画像とを画像比較し、比較結果に基づき前記撮影画像のアスペクト比を前記オリジナル画像のアスペクト比に補正する補正係数を算出するステップと、
前記通信部により、前記補正係数を前記表示装置に送信し、又は、前記画像データに対応する画像を、前記補正係数に基づいてアスペクト比を補正して前記表示装置に送信することを特徴とするサーバの制御方法。
【請求項８】
前記オリジナル画像は、ピクセルアスペクト比に応じて幅と高さの比率が変化する形状を有する特定画像を含み、
前記補正係数を算出するステップでは、前記オリジナル画像と前記撮影画像とで前記特定画像の幅及び高さの少なくともいずれかを比較した比較結果に基づき、前記補正係数を算出することを特徴とする請求項８に記載のサーバの制御方法。
【請求項９】
前記オリジナル画像は、前記撮影画像の送信先を示す画像と、前記画像の切り出し・傾きを検出するための複数のファインダパターンとを含む二次元コードであり、
前記ファインダパターンを前記特定画像として利用していることを特徴とする請求項９に記載のサーバの制御方法。
【請求項１０】
画像データに基づいて画像を表示し、前記画像データを本来のアスペクト比で表示可能な基準ピクセルアスペクト比と異なるピクセルアスペクト比を有する表示装置の制御方法において、
通信部により、ピクセルアスペクト比に応じた幅と高さで表示されるオリジナル画像を受信し、前記オリジナル画像に対応する画像を表示し、前記表示装置に表示された前記オリジナル画像に対応する画像を撮影した撮影装置から送信された撮影画像を受信するステップと、
補正係数算出部により、前記オリジナル画像と前記撮影画像とを画像比較し、比較結果に基づき前記撮影画像のアスペクト比を前記オリジナル画像のアスペクト比に補正する補正係数を算出するステップと、
前記画像データに対応する画像を、前記補正係数に基づいてアスペクト比を補正して表示するステップと
を有することを特徴とする表示装置の制御方法。
【発明の詳細な説明】
【技術分野】
【０００１】
本発明は、画像表示システム、サーバ、表示装置、サーバの制御方法及び表示装置の制御方法に関する。
【背景技術】
【０００２】
従来、携帯端末が出力する映像信号のアスペクト比が車載装置の表示デバイスのアスペクト比と異なる場合に対応すべく、車載装置と携帯端末との組み合わせに対応した画面調整情報をサーバから取得し、画面調整情報に基づいて映像の上下や左右に黒帯領域を付して画面サイズを調整する技術が開示されている（例えば、特許文献１参照）。この技術は、携帯端末（画像供給源）と車載装置（画像供給先）とで表示デバイスの縦横の画素数の違いを考慮してなされた技術である。
【先行技術文献】
【特許文献】
【０００３】
【特許文献１】特開２０１６−３１３７６号公報
【発明の概要】
【発明が解決しようとする課題】
【０００４】
パーソナルコンピュータ等の一般的な表示デバイスは、画像を構成する各画素の幅と高さの比率を示すピクセルアスペクト比が１：１である。インターネット上の画像データは一般的な表示デバイスを利用した場合に、本来のアスペクト比（画像作成者側が意図したオリジナルのアスペクト比）で画像が表示される。
しかし、車載装置の表示デバイスは、限られた画素数で幅方向にワイドな画像を表示できるように、高さ：幅が１：１．５８といったピクセルアスペクト比が採用されることがある。このため、インターネット上の画像を車載装置で表示すると、アスペクト比が異なって表示される。
通信技術の発展により、車載装置等はインターネット上の画像を利用する機会が増大することが考えられ、車載装置等でも本来のアスペクト比で画像を表示することが望まれる。
【０００５】
そこで、本発明は、表示装置のピクセルアスペクト比と異なるピクセルアスペクト比に合わせた画像を本来のアスペクト比で表示可能にすることを目的とする。
【課題を解決するための手段】
【０００６】
上記目的を達成するために、画像データに基づいて画像を表示し、前記画像データを本来のアスペクト比で表示可能な基準ピクセルアスペクト比と異なるピクセルアスペクト比を有する表示装置と、前記表示装置に表示された画像を撮影可能な撮影装置と、前記表示装置と通信可能なサーバとを備える画像表示システムにおいて、前記サーバは、ピクセルアスペクト比に応じた幅と高さで表示されるオリジナル画像を記憶する記憶部と、前記記憶部に記憶された前記オリジナル画像を前記表示装置に送信する通信部とを備え、前記撮影装置は、前記サーバ又は前記表示装置と通信可能であり、前記表示装置に表示された前記オリジナル画像に対応する画像を撮影し、撮影画像を前記サーバ又は前記表示装置に送信し、前記サーバ又は前記表示装置は、前記オリジナル画像と前記撮影画像とを画像比較し、比較結果に基づき前記撮影画像のアスペクト比を前記オリジナル画像のアスペクト比に補正する補正係数を算出する補正係数算出部を有し、前記表示装置は、前記画像データに対応する画像を、前記補正係数に基づいてアスペクト比を補正した画像で表示することを特徴とする。
【０００７】
上記構成において、前記表示装置は、前記画像データに対応する画像を、前記補正係数に基づいてアスペクト比を補正して表示する表示制御部を有することを特徴とする。
【０００８】
上記構成において、前記オリジナル画像は、ピクセルアスペクト比に応じて幅と高さの比率が変化する形状を有する特定画像を含み、前記補正係数算出部は、前記オリジナル画像と前記撮影画像とで前記特定画像の幅又は高さの少なくともいずれかを比較した比較結果に基づき、前記補正係数を算出することを特徴とする。
【０００９】
上記構成において、前記オリジナル画像は、前記撮影画像の送信先を示す画像と、前記画像の切り出し・傾きを検出するための複数のファインダパターンとを含む二次元コードであり、前記ファインダパターンを前記特定画像として利用していることを特徴とする。
【００１０】
また、画像データに基づいて画像を表示し、前記画像データを本来のアスペクト比で表示可能な基準ピクセルアスペクト比と異なるピクセルアスペクト比を有する表示装置と通信可能なサーバにおいて、ピクセルアスペクト比に応じた幅と高さで表示されるオリジナル画像を記憶する記憶部と、前記オリジナル画像を前記表示装置に送信し、前記表示装置に表示された前記オリジナル画像に対応する画像を撮影した撮影装置から送信された撮影画像を受信する通信部と、前記オリジナル画像と前記撮影画像とを画像比較し、比較結果に基づき前記撮影画像のアスペクト比を前記オリジナル画像のアスペクト比に補正する補正係数を算出する補正係数算出部とを有し、前記通信部により、前記補正係数を前記表示装置に送信し、又は、前記画像データに対応する画像を、前記補正係数に基づいてアスペクト比を補正して前記表示装置に送信することを特徴とする。
【００１１】
また、画像データに基づいて画像を表示し、前記画像データを本来のアスペクト比で表示可能な基準ピクセルアスペクト比と異なるピクセルアスペクト比を有する表示装置において、当該表示装置と通信可能なサーバから送信された、ピクセルアスペクト比に応じた幅と高さで表示されるオリジナル画像を受信すると共に、前記表示装置に表示された前記オリジナル画像に対応する画像を撮影した撮影装置から送信された撮影画像を受信する通信部と、前記オリジナル画像と前記撮影画像とを画像比較し、比較結果に基づき前記撮影画像のアスペクト比を前記オリジナル画像のアスペクト比に補正する補正係数を算出する補正係数算出部と、前記画像データに対応する画像を、前記補正係数に基づいてアスペクト比を補正して表示する表示制御部とを有することを特徴とする。
【００１２】
また、画像データに基づいて画像を表示し、前記画像データを本来のアスペクト比で表示可能な基準ピクセルアスペクト比と異なるピクセルアスペクト比を有する表示装置と通信可能なサーバの制御方法において、通信部により、ピクセルアスペクト比に応じた幅と高さで表示されるオリジナル画像を前記表示装置に送信するステップと、前記通信部により、前記表示装置に表示された前記オリジナル画像に対応する画像を撮影した撮影装置から送信された撮影画像を受信するステップと、補正係数算出部により、前記オリジナル画像と前記撮影画像とを画像比較し、比較結果に基づき前記撮影画像のアスペクト比を前記オリジナル画像のアスペクト比に補正する補正係数を算出するステップと、前記通信部により、前記補正係数を前記表示装置に送信し、又は、前記画像データに対応する画像を、前記補正係数に基づいてアスペクト比を補正して前記表示装置に送信することを特徴とする。
【００１３】
また、前記サーバの制御方法において、前記オリジナル画像は、ピクセルアスペクト比に応じて幅と高さの比率が変化する形状を有する特定画像を含み、前記補正係数を算出するステップでは、前記オリジナル画像と前記撮影画像とで前記特定画像の幅又は高さの少なくともいずれかを比較した比較結果に基づき、前記補正係数を算出することを特徴とする。
【００１４】
また、前記サーバの制御方法において、前記オリジナル画像は、前記撮影画像の送信先を示す画像と、前記画像の切り出し・傾きを検出するための複数のファインダパターンとを含む二次元コードであり、前記ファインダパターンを前記特定画像として利用していることを特徴とする。
【００１５】
また、画像データに基づいて画像を表示し、前記画像データを本来のアスペクト比で表示可能な基準ピクセルアスペクト比と異なるピクセルアスペクト比を有する表示装置の制御方法において、通信部により、ピクセルアスペクト比に応じた幅と高さで表示されるオリジナル画像を受信し、前記オリジナル画像に対応する画像を表示し、前記表示装置に表示された前記オリジナル画像に対応する画像を撮影した撮影装置から送信された撮影画像を受信するステップと、補正係数算出部により、前記オリジナル画像と前記撮影画像とを画像比較し、比較結果に基づき前記撮影画像のアスペクト比を前記オリジナル画像のアスペクト比に補正する補正係数を算出するステップと、前記画像データに対応する画像を、前記補正係数に基づいてアスペクト比を補正して表示するステップとを有することを特徴とする。
【発明の効果】
【００１６】
本発明によれば、表示装置のピクセルアスペクト比と異なるピクセルアスペクト比に合わせた画像を本来のアスペクト比で表示できる。
【図面の簡単な説明】
【００１７】
【図１】本発明の第１実施形態に係る画像表示システムを示す図である。
【図２】車載装置とＰＣのピクセルアスペクト比に関する説明に供する図である。
【図３】画像表示システムの動作の説明に供する図である。
【図４】変形例に係る画像表示システムを示す図である。
【図５】第２実施形態に係る画像表示システムの動作の説明に供する図である。
【図６】第３実施形態に係る画像表示システムを示す図である。
【図７】第３実施形態に係る画像表示システムの動作の説明に供する図である。
【図８】変形例に係る画像表示システムの動作の説明に供する図である。
【発明を実施するための形態】
【００１８】
以下、図面を参照して本発明の実施の形態について説明する。
（第１実施形態）
図１は本発明の第１実施形態に係る画像表示システムを示す図である。
この画像表示システム１は、車両に搭載された車載装置１０と、ユーザ（例えば車両の乗員）が携帯する携帯装置２０と、車載装置１０及び携帯装置２０と通信可能なサーバ３０と、車載装置１０に各種の画像データＤＧを提供する画像供給源となる画像供給装置４０とを備えている。車載装置１０、携帯装置２０、サーバ３０及び画像供給装置４０のそれぞれは、公衆無線通信網、移動通信網又は近距離無線通信などを利用して通信する機能を有している。
【００１９】
車載装置１０は、インターネットにアクセスしてインターネット上のウェブ画像等の各種画像を閲覧するブラウザ機能を有する表示装置として機能する。なお、車載装置１０は、公知のカーナビゲーション機能、オーディオ再生機能、ラジオ機能、又はテレビ機能等を有してもよい。
画像供給装置４０は、車載装置１０及び一般的なパーソナルコンピュータ５０（以下、ＰＣ５０と言う）を含む任意の端末装置に対し、インターネットを介してウェブ画像等の画像データＤＧを提供する公知の装置であり、詳細な説明は省略する。
【００２０】
サーバ３０は、後述するオリジナル画像ＸのデータＤＧ１（以下オリジナル画像データＤＧ１と言う）を、インターネットを介して車載装置１０に送信する機能、及び、後述する補正係数ＤＫを算出して車載装置１０にインターネットを介して送信する機能を少なくとも有している。このサーバ３０は、車載装置１０に画像データＤＧ等を提供する画像供給装置４０としても機能する。
図１には、説明の便宜上、車載装置１０、携帯装置２０、サーバ３０、画像供給装置４０及びＰＣ５０を一台ずつ示しているが、これらは一台に限定されない。
【００２１】
車載装置１０は、制御部１１、通信部１２、記憶部１３、指示入力部１４、表示制御部１５及び表示部１６を備えている。制御部１１は、ＣＰＵ等で構成され、車載装置１０の各部を制御するコンピュータとして機能する。通信部１２は、サーバ３０を含む画像供給装置４０とインターネットを介して通信する機能、及び携帯装置２０と近距離無線通信する機能を有している。
【００２２】
記憶部１３は、ＳＳＤ又はＨＤＤ等の記憶デバイスであり、制御部１１が利用する各種のデータを記憶する。この記憶部１３は、制御部１１が利用する制御プログラムＤ１等の各種データを記憶すると共に、サーバ３０又は画像供給装置４０から受信した画像データＤＧ、オリジナル画像データＤＧ１及び補正係数ＤＫを記憶する記憶エリアとして機能する。制御部１１が制御プログラムＤ１を実行することによって、ブラウザ機能等が実現される。
【００２３】
指示入力部１４は、操作子等の公知の指示入力デバイスによって、車載装置１０のユーザから各種指示を入力し、制御部１１に通知する。
表示制御部１５は、制御部１１の制御の下、表示部１６の表示を制御する。この表示制御部１５は、記憶部１３に補正係数ＤＫが記憶されている場合、この補正係数ＤＫに基づいて、サーバ３０を含む画像供給装置４０から受信した画像データＤＧの画像のアスペクト比を補正する機能を有している。
【００２４】
表示部１６は、車両に設けられた表示デバイスであり、制御部１１の制御の下、各種の画像を表示する。この表示部１６は、液晶表示装置等の公知の表示デバイスを広く適用可能である。なお、表示部１６は、車載装置１０と一体の構成に限定されず、別体の構成でもよい。
【００２５】
図２に示すように、表示部１６の各画素の高さと幅の比率を示すピクセルアスペクト比は、ＰＣ５０の表示デバイス５１のピクセルアスペクト比と異なっている。
ＰＣ５０の表示デバイス５１のピクセルアスペクト比は、１：１の基準ピクセルアスペクト比となっており、インターネット上の画像データＤＧ及び図２に示すオリジナル画像Ｘを表示した場合、画像作成者側が意図した本来のアスペクト比で表示画像Ｘ１をそれぞれ表示することができる。
【００２６】
これに対し、車載装置１０では、限られた画素数で幅方向にワイドな画像を表示できること等を目的として、高さに比して幅が大きいピクセルアスペクト比（図２の例では、高さ：幅＝１：１．５８）が採用される。このため、図２に示すように、本来のアスペクト比のオリジナル画像Ｘよりも横長の表示画像Ｘ２が表示される。
本実施形態では、本来のアスペクト比で表示できるように、表示画像Ｘ２のアスペクト比をオリジナル画像Ｘのアスペクト比に補正する補正係数ＤＫを算出する補正係数算出処理を行い、この補正係数ＤＫに基づいて画像データＤＧに対応する画像のアスペクト比を補正し、表示画像Ｘ２として表示できるようにしている。補正係数算出処理等は後段に説明する。
【００２７】
図１に示すように、携帯装置２０は、携帯側制御部２１、携帯側通信部２２、携帯側記憶部２３、及び撮影部２４を少なくとも備えている。この画像表示システム１において、携帯装置２０は、車載装置１０の表示部１６に表示された表示画像Ｘ２（図２）を撮影し、撮影画像を予め定めた送信先（本実施形態ではサーバ３０）に送信する撮影装置として使用される。撮影画像は、表示画像Ｘ２に相当する画像であるので、以下、表示画像Ｘ２と同じ符号Ｘ２を付して表記する。
【００２８】
より具体的には、携帯装置２０は、撮影部２４によって、車載装置１０の表示部１６に表示された表示画像Ｘ２（図２）を撮影し、携帯側通信部２２によって、撮影画像Ｘ２をサーバ３０に送信する。撮影画像Ｘ２は、表示部１６の正面から撮影することによって得られる。なお、撮影はユーザが行ってもよいし、車載装置１０が携帯装置２０を遠隔制御することによって撮影を自動的に行うようにしてもよい。
この携帯装置２０には、例えばスマートフォンが適用される。なお、携帯装置２０に関しては、画像表示システム１に関わる構成のみを図示すると共に説明する。
【００２９】
携帯側制御部２１は、ＣＰＵ等で構成され、携帯装置２０の各部を制御するコンピュータとして機能する。携帯側通信部２２は、車載装置１０及びサーバ３０等と通信する機能を有している。携帯側記憶部２３は、携帯側制御部２１が利用する制御プログラムＤ２等の各種データを記憶すると共に、撮影部２４で撮影された撮影画像データＤＳを記憶する記憶エリアとして機能する。撮影部２４は、車載装置１０の表示部１６に表示された表示画像Ｘ２を撮影可能な公知のカメラを広く適用可能である。
【００３０】
サーバ３０は、サーバ側制御部３１、サーバ側通信部３２、サーバ側記憶部３３及び補正係数算出部３４を備えている。サーバ側制御部３１は、ＣＰＵ等で構成され、サーバ３０の各部を制御するコンピュータとして機能する。サーバ側通信部３２は、車載装置１０及び携帯装置２０等とインターネット等を介して通信する機能を有している。
サーバ側記憶部３３は、サーバ側制御部３１が利用する制御プログラムＤ３等の各種データを記憶すると共に、画像データＤＧ、オリジナル画像データＤＧ１及び撮影画像データＤＧを記憶する記憶エリアとして機能する。
【００３１】
補正係数算出部３４は、オリジナル画像Ｘと撮影画像Ｘ２を画像比較する画像比較部３４Ａを有している。画像比較部３４Ａは、公知の画像認識技術を利用してオリジナル画像Ｘと撮影画像Ｘ２とを比較する。補正係数算出部３４は、画像比較部３４Ａの画像比較結果に基づいて、画像データＤＧの画像を、車載装置１０の表示部１６のピクセルアスペクト比に合わせたアスペクト比に補正するための補正係数ＤＫを算出する算出処理を行う。
図２に示すように、オリジナル画像Ｘは、ピクセルアスペクト比に応じて幅と高さの比率（つまり、アスペクト比）が変化する形状を有する画像である。
【００３２】
本実施形態のオリジナル画像Ｘには、大径の真円である第１特定画像ＸＡの中に、左右に間隔を空けて、小径の真円からなる第２特定画像ＸＢを配置した画像が適用される。そして、画像比較部３４Ａでは、例えば、第１特定画像ＸＡの幅又は高さのいずれかの変化、第２特定画像ＸＢの幅又は高さのいずれかの変化、及び第２特定画像ＸＢの離間距離の変化のいずれかに基づく幅と高さの比率の変化（Ｌ１：Ｗ１（又はＷ２）→Ｌ２：Ｗ３（又はＷ４））に基づいて、撮影画像Ｘ２のアスペクト比を、オリジナル画像Ｘのアスペクト比に補正する補正係数ＤＫを算出する。
この補正係数算出処理により、例えば、車載装置１０のピクセルアスペクト比が１：１．５８であり、撮影画像Ｘ２のアスペクト比を、オリジナル画像Ｘのアスペクト比である１：１に補正する場合、幅方向を６３．３％にする補正係数ＤＫが算出される。なお、補正係数ＤＫを算出する処理は公知の処理を広く適用可能である。
【００３３】
図３は画像表示システム１の動作の説明に供する図である。なお、車載装置１０と携帯装置２０とは通信接続され、車載装置１０とサーバ３０とはＨＴＴＰ  ｃｏｏｋｉｅを用いた通信技術、又は予め設定された情報に基づいて、互いの通信先を特定しているものとする。
ステップＳ１において、サーバ３０は、サーバ側制御部３１によりサーバ側記憶部３３に記憶されたオリジナル画像Ｘのデータ（以下、オリジナル画像データＤＧ１）を、サーバ側通信部３２を利用して車載装置１０に送信する。
ステップＳ２において、車載装置１０は、制御部１１によりオリジナル画像Ｘを表示部１６に表示させ、携帯装置２０の撮影部２４によって表示部１６に表示された表示画像Ｘ２が撮影される。
【００３４】
ステップＳ３において、携帯装置２０は、携帯側制御部２１の制御の下、携帯側通信部２２によって、撮影画像Ｘ２をサーバ３０に送信する。なお、撮影画像Ｘ２の送信先は、携帯装置２０の制御プログラムＤ２等に予め記述されていてもよいし、車載装置１０又はサーバ３０が携帯装置２０に通知してもよい。
ステップＳ４において、サーバ３０は、サーバ側制御部３１の制御の下、補正係数算出部３４によって、オリジナル画像Ｘと撮影画像Ｘ２とに基づいて、補正係数ＤＫを算出し、サーバ側記憶部３３に記憶する。
ステップＳ５において、サーバ３０は、サーバ側制御部３１の制御の下、サーバ側通信部３２によって補正係数ＤＫを車載装置１０に送信する。
【００３５】
ステップＳ６において、車載装置１０は、制御部１１の制御の下、補正係数ＤＫを記憶部１３に記憶し、サーバ３０等から取得した画像データＤＧを表示する際に、表示制御部１５により補正係数ＤＫに基づいてアスペクト比を補正して表示する。これにより、基準ピクセルアスペクト比と異なるピクセルアスペクト比を有する車載装置１０にて、本来のアスペクト比で画像を表示することができる。
【００３６】
以上説明したように、サーバ３０は、オリジナル画像Ｘを車載装置１０に送信し、携帯装置２０は、車載装置１０の表示部１６に表示されたオリジナル画像Ｘを撮影した撮影画像Ｘ２をサーバ３０に送信し、サーバ３０はオリジナル画像Ｘと撮影画像Ｘ２を画像比較して補正係数ＤＫを算出して車載装置１０に送信する。そして、車載装置１０は、画像データＤＧに対応する画像を表示する際に、補正係数ＤＫに基づいてアスペクト比を補正して表示する。
これにより、画像データＤＧを本来のアスペクト比で表示可能な基準ピクセルアスペクト比と異なるピクセルアスペクト比を有する車載装置１０にて、本来のアスペクト比で画像を表示することができる。従って、限られた画素数で幅方向にワイドな画像を表示できるようにピクセルアスペクト比を設定した車載装置１０において、ブラウザ機能を利用してインターネットから得た様々な画像を、本来のアスペクト比で表示することができる。
【００３７】
また、車載装置１０は、画像データＤＧに対応する画像を、補正係数ＤＫに基づいてアスペクト比を補正して表示する表示制御部１５を有しているので、補正係数ＤＫを車載装置１０に記憶しておくことで、以降に別の画像を表示する際も、その補正係数ＤＫを利用して本来のアスペクト比で画像を表示できる。
なお、補正係数ＤＫを車載装置１０側に記憶する構成に限定されず、サーバ３０側に記憶し、サーバ３０が、画像データＤＧを車載装置１０に送信する際に、補正係数ＤＫを、その画像データＤＧの送信先である車載装置１０に送信するようにしてもよい。この場合、サーバ３０側で、サーバ３０へのアクセスによって車載装置１０内に保存されるｃｏｏｋｉｅと対応づけて補正係数ＤＫを記憶しておき、その車載装置１０がサーバ３０に再びアクセスした場合に、ｃｏｏｋｉｅの情報に基づいてその車載装置１０に送信する補正係数ＤＫを特定し、車載装置１０に送信するようにすればよい。
【００３８】
また、補正係数ＤＫに基づいて画像のアスペクト比を補正する処理は、車載装置１０で行う構成に限定されない。例えば、図４に例示するように、サーバ３０に、画像データＤＧに対応する画像を、補正係数ＤＫに基づいてアスペクト比を補正した画像に変換する画像変換部３５を設けるようにしてもよい。この場合、この画像変換部３５によって変換した画像を、サーバ側通信部３２により車載装置１０に送信し、車載装置１０にて、受信した画像をそのまま表示するようにすればよい。この構成によれば、車載装置１０側で、補正係数ＤＫに基づいてアスペクト比を補正する処理を省略できるので、車載装置１０の処理負担を軽減できる。なお、図４に示す画像表示システム１は、車載装置１０から画像変換部３５を除き、サーバ３０に画像変換部３５を設けた点以外は、図１と同じ構成である。
【００３９】
また、本実施形態のオリジナル画像Ｘは、図２に示したように、ピクセルアスペクト比に応じて幅と高さの比率が変化する形状を有する特定画像ＸＡ、ＸＢを含んでおり、補正係数算出部３４は、オリジナル画像Ｘと撮影画像Ｘ２とでいずれかの特定画像ＸＡ、ＸＢを比較した比較結果に基づき、補正係数ＤＫを算出する。これにより、撮影画像Ｘ２のアスペクト比をオリジナル画像Ｘのアスペクト比に補正する補正係数ＤＫを算出できる。
【００４０】
（第２実施形態）
第２実施形態は、撮影画像Ｘ２の送信先を示すオリジナル画像Ｘを用いた点が第１実施形態と異なっている。
図５は画像表示システム１の動作の説明に供する図である。
図５に示すように、オリジナル画像Ｘは、撮影画像Ｘ２の送信先を示す画像ＸＣと、画像ＸＣの切り出し・傾きを検出するための複数（３つ）のファインダパターンＸＤとを含む二次元コードであり、本実施形態ではＱＲコード（登録商標）が適用される。画像ＸＣは、ＱＲコードの仕様に従って、撮影画像Ｘ２の送信先（本実施形態ではサーバ３０）に相当するＵＲＬ等のアドレス情報、及び画像の一部が判別不能でもアドレス情報等を復元可能にする誤り訂正符合等が記述された画像である。
【００４１】
本実施形態では、携帯装置２０が、表示部１６に表示されたオリジナル画像Ｘを撮影するステップＳ２の処理の後、撮影画像Ｘ２を画像認識することによって、画像ＸＣに埋め込まれた撮影画像Ｘ２の送信先を取得し、取得した送信先に、撮影画像Ｘ２（撮影画像データＤＳ）を送信する（ステップＳ３Ａ）。これにより、携帯装置２０は撮影画像Ｘ２の送信先を簡易に取得できる。
【００４２】
本実施形態では、オリジナル画像Ｘと撮影画像Ｘ２とでそれぞれファインダパターンＸＤの位置が変化することに鑑み、補正係数算出部３４は、オリジナル画像Ｘと撮影画像Ｘ２との画像比較によって各ファインダパターンＸＤの高さ方向及び幅方向の間隔を比較することで、補正係数ＤＫを算出する。
このようにして、ＱＲコードに必須のファインダパターンＸＤを利用して、補正係数ＤＫが算出される。また、ＱＲコードの画像ＸＣに基づいて撮影画像Ｘ２の傾きを検出できるので、撮影時に傾いた撮影画像ＸＣが撮影された場合でも、その傾きを修正した状態で、オリジナル画像Ｘと撮影画像ＸＣとを画像比較することが可能となり、補正係数ＤＫの算出精度が向上する効果も期待できる。
【００４３】
このように、オリジナル画像ＸにＱＲコードを利用することで、撮影画像Ｘ２の送信先及び補正係数ＤＫを取得し易くなる。なお、ＱＲコードに限定されず、撮影画像Ｘ２の送信先及び補正係数ＤＫを取得可能な範囲で、ＱＲコード以外の二次元コードを利用してもよいし、一次元バーコード等の他のコード情報を利用してもよい。なお、図５において、ステップＳ３Ａ、Ｓ４Ａ以外の処理は、第１実施形態と同様の処理を適用可能である。
【００４４】
（第３実施形態）
図６は第３実施形態に係る画像表示システム１を示す図である。
図６に示すように、第３実施形態は、補正係数算出部３４を車載装置１０に設け、携帯装置２０にて補正係数ＤＫを算出する構成にした点が第１実施形態と異なっている。図７は第３実施形態の画像表示システム１の動作の説明に供する図である。
図７に示すように、携帯装置２０は、表示部１６に表示されたオリジナル画像Ｘを撮影するステップＳ２の処理の後、撮影画像Ｘ２（撮影画像データＤＳ）を車載装置１０に送信する（ステップＳ３Ｂ）。そして、車載装置１０は、制御部１１の制御の下、補正係数算出部３４によりオリジナル画像Ｘと撮影画像Ｘ２とに基づいて補正係数ＤＫを算出し（ステップＳ４Ｂ）、補正係数ＤＫを記憶部１３に記憶し、サーバ３０等から取得した画像データＤＧを表示する際に、表示制御部１５により補正係数ＤＫに基づいてアスペクト比を補正して表示する（ステップＳ５Ｂ）。なお、図７中のステップＳ１及びＳ２の処理は、第１実施形態と同様の処理を適用可能である。
【００４５】
このように、車載装置１０側で補正係数ＤＫの算出処理を行うので、サーバ３０側の処理負担を低減することが可能になる。また、図７に示すように、携帯装置２０は車載装置１０と通信するだけで済み、サーバ３０との通信が不要になる。
なお、補正係数算出部３４を携帯装置２０に設け、携帯装置２０にて補正係数ＤＫを算出する構成にしてもよい。この構成の場合の画像表示システム１の動作を図８に例示している。
【００４６】
図８に示すように、サーバ３０は、オリジナル画像Ｘを携帯装置２０に送信し（ステップＳ３Ｃ）、携帯装置２０は、補正係数算出部３４によりオリジナル画像Ｘと撮影画像Ｘ２とに基づいて補正係数ＤＫを算出し（ステップＳ４Ｃ）、補正係数ＤＫを車載装置１０に送信する（ステップＳ５Ｃ）。なお、図８中のステップＳ１Ｓ２、及びＳ６の処理は第１実施形態と同様の処理を適用可能である。
例えば、携帯装置２０に、補正係数算出部３４に対応する処理等を行うアプリケションプログラムをダウンロードしておくことによって、携帯装置２０に上記ステップＳ４Ｃ、Ｓ５Ｃの処理を実行させることが可能である。
【００４７】
上記の各実施形態は、あくまでも本発明の一実施の態様を例示するものであり、本発明の趣旨を逸脱しない範囲で任意に変形、及び応用が可能である。
例えば、オリジナル画像Ｘは、ピクセルアスペクト比を特定可能にする画像を広く適用可能であり、上記の画像に限定さない。例えば、オリジナル画像Ｘは、十字形状の画像や四角形状の画像でもよい。
【００４８】
また、上記の各実施形態では、オリジナル画像Ｘと撮影画像Ｘ２の幅及び高さを比較した比較結果に基づき補正係数ＤＫを算出する場合を説明したが、これに限定されない。基準ピクセルアスペクト比に対する撮影装置１０のピクセルアスペクト比が、幅又は高さのいずれかの変化のみであることが事前に明確であり、且つ、補正係数ＤＫを十分な精度で算出できる場合、オリジナル画像Ｘと撮影画像Ｘ２の幅及び高さの少なくともいずれかを比較した比較結果に基づき補正係数ＤＫを算出するようにしてもよい。
また、上記の画像表示システム１、車載装置１０、携帯装置２０及びサーバ３０等の各構成要素は分割してもよいし、併合してもよい。例えば、携帯装置２０の撮影機能を実現する撮影部２４等を、車載装置１０に設けるようにしてもよい。また、各構成要素は、ハードウェアとソフトウェアの協働等により任意に実現可能である。
【００４９】
また、上記の各実施形態では、上記した画像表示システム１、サーバ３０、車載装置１０、サーバ３０の制御方法及び車載装置１０の制御方法に本発明を適用する場合を例示したが、これに限定されない。例えば、車載装置を、少なくとも表示機能を有する表示装置に置き換えてもよい。この表示装置は、車両内に配置されるものでもよいし、車両側に配置されるものでもよいし、可搬可能な表示装置でもよい。
また、画像データＤＧは、静止画の画像データに限定されず、動画の画像データでもよい。画像データＤＧの形式についても公知の形式を広く適用可能である。但し、オリジナル画像Ｘは、画像比較のし易さ等の観点から静止画の画像データが好ましい。
【符号の説明】
【００５０】
１  画像表示システム
１０  車載装置（表示装置）
１１  制御部
１２  通信部
１３  記憶部
１４  指示入力部
１５  表示制御部
１６  表示部
２０  携帯装置（撮影装置）
２４  撮影部
３０  サーバ（画像供給装置）
３１  サーバ側制御部
３２  サーバ側通信部
３３  サーバ側記憶部
３４  補正係数算出部
３４Ａ  画像比較部
４０  画像供給装置
５０  パーソナルコンピュータ（ＰＣ）
Ｘ  オリジナル画像
Ｘ１  ＰＣの表示画像
Ｘ２  車載装置の表示画像（撮影画像）
ＸＡ、ＸＢ  特定画像
ＤＧ  画像データ
ＤＫ  補正係数
【図１】
2020088430.tif 000003
【図２】
2020088430.tif 000004
【図３】
2020088430.tif 000005
【図４】
2020088430.tif 000006
【図５】
2020088430.tif 000007
【図６】
2020088430.tif 000008
【図７】
2020088430.tif 000009
【図８】
2020088430.tif 000010